(57)【要約】【課題】本発明は、特に電気機械式ブレーキブースター（１３）を備えた車両用液圧ブレーキ装置（１）の制御方法に関する。【解決手段】本発明は、ブレーキブースター（１３）と、このブレーキブースター（１３）によって車両用ブレーキ装置（１）のマスターブレーキシリンダ（３）とを起こり得るブレーキ要求に従い機能させ、ホイールブレーキ（５）のクリアランスを低減する、有利にはなくすことを提案する。これによって、引き続いてのブレーキ操作がより迅速に行われる。ここでの起こり得るブレーキ要求とは、例えば、先行車両若しくは障害物からの最小間隔を下回るようにするか、運転者の足（２１）をブレーキペダル（１５）に合わせるか、又はアクセルペダルを放す若しくはアクセルペダルを迅速に放すことである。【選択図】図１
2013173538.tif 000002
【特許請求の範囲】
【請求項１】
制御可能なブレーキブースター（１３）を備えた車両用液圧ブレーキ装置（１）の制御方法において、
前記車両用ブレーキ装置（１）は、前記車両用ブレーキ装置（１）のマスターブレーキシリンダ（３）からホイールブレーキ（５）を液圧的に切り離すことができるバルブ（４；７）を備えており、
起こり得るブレーキ要求に従い前記ブレーキブースター（１３）を機能させることによって、ホイールブレーキ（５）のクリアランスを小さくし、
前記起こり得るブレーキ要求に従いブレーキ操作なしに前記バルブ（４；７）を閉じ、その後、前記ブレーキブースター（１３）をリセットする、
ことを特徴とする制御方法。
【請求項２】
前記バルブ（４；７）は、前記マスターブレーキシリンダ（３）の操作前に閉じられる、請求項１記載の方法。
【請求項３】
前記バルブ（４；７）は、
アクセルペダルを放した後所定時間が経過したとき、または、
アクセルペダルが再び操作されたとき、または、
運転者の足がブレーキペダルから離れたときに、
再び開かれる、請求項１記載の方法。
【請求項４】
ブレーキ操作の際に、前記バルブ（４；７）を開く、請求項１記載の方法。
【請求項５】
アクセルペダル又はアクセルレバーを放すことを前記起こり得るブレーキ要求とみなす、請求項１記載の方法。
【請求項６】
アクセルペダル又はアクセルレバーを迅速に放すことを前記起こり得るブレーキ要求とみなす、請求項１記載の方法。
【請求項７】
センサ（２０）によって、運転者の足（２１）がブレーキペダル（１５）に接近していることが検出され、前記接近を前記起こり得るブレーキ要求とみなす、請求項１記載の方法。
【請求項８】
クリアランス調整及び／又はブレーキペダルストローク調整のために用いられる、請求項１記載の方法。
【請求項９】
前記車両用ブレーキ装置（１）は、電気機械式ブレーキブースター（１３）を備えている、請求項１記載の方法。
【発明の詳細な説明】
【技術分野】
【０００１】
本発明は、請求項１の上位概念に記載した、電気機械式ブレーキブースターを備えた車両用液圧ブレーキ装置の制御方法に関する。本発明の意味では、「制御する」とは、閉ループ制御することも含んでいる。
【背景技術】
【０００２】
車両用液圧ブレーキ装置自体は公知である。車両用液圧ブレーキ装置はマスターブレーキシリンダを備えており、このマスターブレーキシリンダにはホイールブレーキの１つ又は複数のホイールブレーキシリンダが接続されている。ここでは、ホイールブレーキについてのみ手短に且つ簡単に説明する。ブレーキ操作は、足でブレーキペダルを踏むか、又は手でブレーキレバーを操作することによって行われる。通常、マスターブレーキシリンダはバキュームブレーキブースターを備えている。
【０００３】
例えばアンチスキッドブレーキシステム、アクセレレーションスキッドコントロール、及び／又はビークルダイナミクスコントロールのようなホイールスリップコントロールシステムを有する車両用液圧ブレーキ装置も公知である。これらのコントロールシステムには、ＡＢＳ，ＡＳＲ，ＶＤＣ及びＥＳＰといった略語が一般的に使用されている。閉ループ制御のために、車両用ブレーキ装置は、ブレーキ回路毎にホイールブレーキ圧力調節バルブ装置と液圧ポンプとを備えている。これらによって、ホイールブレーキ圧力をホイール毎に、簡単なシステムでは部分的、つまりアクスル単位で調整／変更可能である。ホイールスリップコントロールシステムの液圧ポンプは、しばしばリターンポンプと呼ばれる。このような車両用ブレーキ装置では、ホイールブレーキのクリアランスを小さくするために、有利にはホイールブレーキの摩擦ブレーキパッドをブレーキディスクか、ブレーキドラムか、又は制動すべき別のブレーキ体に当てるために、ブレーキ操作の前に液圧ポンプによってブレーキ液をホイールブレーキに供給することが可能であり、またよく知られている。このクリアランスとは、ブレーキが作動していないときの摩擦ブレーキパッドとブレーキ体との間の隙間である。この摩擦ブレーキパッドは、力を掛けずにブレーキ体に当ててもよいし、又は、小さな張力でブレーキ体に押し付けてもよい。後続のブレーキ操作では、このクリアランスをなくす必要がないので、ブレーキ操作時の遊びは小さくなり、ブレーキ操作がより迅速に行われる。更なる利点は、より大きな操作ストロークがブレーキ操作のために使用できることである。
【０００４】
クリアランスの低減は、運転者の起こり得るブレーキ要求に従い行われる。このようなブレーキ要求として、典型的には自動車のアクセルペダル又はアクセルレバーを迅速に放すことが考えられる。「迅速」とは、この場合、とりわけ通常に比べてアクセルペダル又はアクセルレバーを著しく急いで放すことを意味している。通常のアクセルペダル又はアクセルレバーを放す速さは運転者個々で異なるので、走行中に測定してもよい。アクセルペダル又はアクセルレバーを迅速に放す場合には、後続のブレーキ操作、例えばしばしば強いブレーキ操作も計算に入れる必要がある。クリアランスの低減は、アクセルペダル又はアクセルレバーを放す際にいつでも、その放す速さに関係なく行ってもよい。起こり得るブレーキ要求は、速度に依存する、先行車両との最小間隔を維持するために周知である衝突防止レーダーによって検出してもよい。車両が非常に高い速度で先行車両に接近しているか、又は車両が障害物に向かって突進している場合に、ブレーキ液を液圧ポンプで供給することによってホイールブレーキのクリアランスを低減し、ブレーキ操作時間を短縮することができる。
【発明の概要】
【課題を解決するための手段】
【０００５】
発明の開示
本発明は制御可能なブレーキブースターによって行われる。ここで、制御可能とは、ブレーキブースターを機能させるために、筋力による操作に依存しない制御可能性を意味する。とりわけ、このブレーキブースターは電気的又は電子的に制御可能である。本発明によれば、起こり得るブレーキ要求に従いブレーキブースターが機能することによって、車両用ブレーキ装置のホイールブレーキのクリアランスが小さくなる、特に「ゼロ」まで小さくなる。また、車両用ブレーキ装置の所定のバイアスによって、すなわち小さな張力でホイールブレーキの摩擦ブレーキパッドをそのブレーキディスクか、ブレーキドラムか、又は別のブレーキ体に当てることによって楽なブレーキ操作が可能になる。本発明は、ブレーキ操作時の操作ストロークを短くする、とりわけ、車両用ブレーキ装置が応答するまでの、つまり制動されるまでの遊びが短くなる。遊びをゼロまで短くすることができる。上述したように、その上車両用ブレーキ装置をバイアスする、つまり小さな制動力を形成することができる。
【０００６】
本発明の大きな利点は、ブレーキ操作に備えてホイールブレーキのクリアランスを小さくするのにリターンポンプ、つまりホイールスリップコントロールシステムの液圧ポンプを必要としない点である。ホイールスリップコントロールは日常の交通において滅多に生じないので、このホイールスリップコントロールシステムの液圧ポンプは耐用年数の観点からみて、どんなブレーキ操作にも利用できるように設計されているのではなく、ホイールスリップのためだけに設計されているのである。それ故に、このホイールスリップコントロールシステムの液圧ポンプでクリアランスを小さくするには、数倍長い耐用年数を有する液圧ポンプを車両用ブレーキ装置に装備しなければならない。それに対して、ブレーキブースターは、どんなブレーキ操作にも利用されるので、最初から相応の耐用年数ないしは操作回数となるように設計されている。
【０００７】
従属請求項は、本発明の有利な実施形態及び発展形態を対象としている。
【０００８】
起こり得るブレーキ要求として、上述したように、車両用ブレーキ装置を備え付けた自動車のアクセルペダル又はアクセルレバーを放すか、又は迅速に放すことが考えられる。とりわけ走行速度に依存する、先行車両又は障害物との間隔も、起こり得るブレーキ要求の別の基準である。間隔の変化、つまり先行車両又は障害物に接近する速度も、起こり得るブレーキ要求の基準とすることができる。請求項７には、ブレーキペダルへの運転者の足の接近を検出するセンサ系が記載されている。このブレーキペダルへの運転者の足の接近も、起こり得るブレーキ要求とみなされ、このブレーキ要求によって、ホイールブレーキのクリアランスを小さくするブレーキブースターがトリガされる。ここで考えられるセンサは、光学センサ、例えばライトバリア（Lichtschranke）を備えた光学センサ、超音波センサ及び容量センサであるが、ここに列挙したものに限定されず、ブレーキペダルに運転者の足が接近しているかを検出可能であるどのセンサ系も、本発明において利用される。
【０００９】
請求項１には、車両用ブレーキ装置が、そのマスターブレーキシリンダから少なくとも１つのホイールブレーキを液圧的に切り離すことができるバルブを備えていることが記載されている。ホイールスリップコントロールシステムを備えた車両用ブレーキ装置は、次のようなバルブを備えている。すなわち通常は、ブレーキ回路とマスターブレーキシリンダとを接続する、ブレーキ回路毎に１つの切り離しバルブと、ホイールブレーキ毎に１つのブレーキ増圧用バルブとを備えており、簡単なホイールスリップコントロールシステムの場合には、車軸のホイールブレーキのための１つのブレーキ増圧用バルブを備えている。請求項１には、起こり得るブレーキ要求に従いバルブを閉じ、上述したブレーキブースターを機能させることによって、ホイールブレーキのクリアランスを小さくすることが記載されている。バルブがバイパスを備えている場合には、ブレーキブースターを機能させる前か、機能させているときか、又は機能させた後に、このバルブを閉じることができる。通常、切り離しバルブは、次のようなバイパス、すなわちマスターブレーキシリンダの方向からホイールブレーキの方向に通流可能なチェックバルブを備えている。バイパスを備えていない場合には、ブレーキブースターが機能しホイールブレーキのクリアランスが小さくなってはじめて、バルブを閉じることができる。続いて、ブレーキブースターが初期位置に再びリセットされる。本発明による方法の発展形態の利点は、ブレーキブースターがブレーキ操作の始動時に初期位置にあることによって、ブレーキブースターの操作ストローク全体を使用できるという点である。
【００１０】
バルブがバイパスを備えている場合には、ブレーキ操作の際にバルブを開く必要はない。請求項４には、ブレーキ操作の際にバルブを開くことが記載されているが、ここではバルブは有利には、マスターブレーキシリンダにおける圧力がホイールブレーキの圧力とほぼ同じか、又はホイールブレーキの圧力より高くなってはじめて開かれるのである。
【００１１】
本発明による方法は、クリアランス調整及び／又はブレーキペダルストローク調整のためにも用いることができる。これは請求項８の発明である。前者は、ホイールブレーキのクリアランスを起こり得るブレーキ要求に関係なく小さくすることを意味している。このクリアランス調整は、ホイールスリップコントロールシステムが存在する限り、ホイール個々に行うことができる。これによって、ホイールブレーキの構造上のクリアランスをホイール個々でも小さくすることができる。
【００１２】
基本的に、本発明による方法は制御可能などのようなブレーキブースターによっても利用することができる。これに関して例えば、バキュームブレーキブースターは、従来のサーボバルブに加えて作動チャンバに通気するための制御可能なバルブを備えており、このようなバルブはピストンロッドのストローク及び／又はピストンロッドに作用する筋力に依存して作動チャンバに通気する。請求項９には、構造上の条件に基づき電気的ないしは電子的に制御可能な電気機械式ブレーキブースターが記載されている。このような電気機械式ブレーキブースターは周知であり、例えば公開公報ＤＥ１００５７５５７Ａ１に示されている。
【００１３】
次に、本発明を図面に基づいて詳細に説明する。
【図面の簡単な説明】
【００１４】
【図１】本発明による方法を説明するための車両用液圧ブレーキ装置の線図
【発明を実施するための形態】
【００１５】
図１に示した本発明による車両用液圧ブレーキ装置１は、ホイールスリップコントロールシステム２（アンチスキッドブレーキシステムＡＢＳ；アクセレレーションスキッドコントロールＡＳＲ；ビークルダイナミクスコントロールＶＤＣ，ＥＳＰ）を備えている。この車両用液圧ブレーキ装置１は、マスターブレーキシリンダ３に接続された２つのブレーキ回路Ｉ及びＩＩを備えた２系統ブレーキシステムとして形成されている。どちらのブレーキ回路Ｉ及びＩＩも、切り離しバルブ４を介してマスターブレーキシリンダ３に接続されている。これらの切り離しバルブ４は、通流されていない基本位置のときにオープンな２／２ウェイソレノイドバルブである。これらの切り離しバルブ４に、マスターブレーキシリンダ３からホイールブレーキ５に通流可能なそれぞれ１つのチェックバルブ６が並列に液圧接続されている。どちらのブレーキ回路Ｉ及びＩＩの切り離しバルブ４にもホイールブレーキ５がブレーキ増圧用バルブ７を介して接続されている。これらのブレーキ増圧用バルブ７は、通流されていない基本位置のときにオープンな２／２ウェイソレノイドバルブである。これらのブレーキ増圧用バルブ７に、ホイールブレーキ５からマスターブレーキシリンダ３の方向に通流可能なチェックバルブ８が並列接続されている。
【００１６】
どのホイールブレーキ５にも、リターンポンプとも呼ばれる液圧ポンプ１０の吸い込み側に共通に接続されたブレーキ減圧用バルブ９が接続されている。これらのブレーキ減圧用バルブ９は、通流されていない基本位置のときにクローズな２／２ウェイソレノイドバルブとして形成されている。液圧ポンプ１０の圧送側は、ブレーキ増圧用バルブ７と切り離しバルブ４とに接続されている、すなわち、液圧ポンプ１０の圧送側は、ブレーキ増圧用バルブ７を介してホイールブレーキ５に接続されており、切り離しバルブ４を介してマスターブレーキシリンダ３に接続されているのである。ブレーキ増圧用バルブ７及びブレーキ減圧用バルブ９は、制御をより改善することができるので、プロポーショニングバルブである。
【００１７】
２つのブレーキ回路Ｉ及びＩＩのいずれも、電動機１１で共通して駆動可能な液圧ポンプ１０を備えている。これらの液圧ポンプ１０の吸い込み側は、ブレーキ減圧用バルブ９に接続されている。これらの液圧ポンプ１０の吸い込み側には、ブレーキ減圧用バルブ９を開くことによってスリップコントロールの間ホイールブレーキ５から流れ出たブレーキ液を収容及び一時蓄積するための液圧アキュムレータ１２が設けられている。
【００１８】
ブレーキ増圧用バルブ７及びブレーキ減圧用バルブ９は、ホイールブレーキ圧力調節バルブ装置である。これらのホイールブレーキ圧力調節バルブ装置によって、液圧ポンプ１０の駆動時に、スリップコントロールを行うためのホイール毎のブレーキ圧力の調整が可能であり、その方法自体公知であるので、ここでは説明しない。切り離しバルブ４はスリップコントロールの際に閉じられる、すなわち、車両用ブレーキ装置１はマスターブレーキシリンダ３から液圧的に切り離される。
【００１９】
マスターブレーキシリンダ３は、ブレーキブースター１３、この実施例では電気機械式ブレーキブースター１３を備えている。このブレーキブースター１３は、ブレーキペダル１５を介して加わる筋力と共にマスターブレーキシリンダ３を操作する補助動力を電動機１４によって形成する。記号で表された電動機１４は、ブレーキブースター１３に組み込まれている。この電動機１４は回転モーターとしてもよく、その回転運動は、ギアを介して減少され、マスターブレーキシリンダ３を操作するための直進運動に変換される。電動リニアモーター又は電磁石を備えたブレーキブースター１３の実施形態も可能である。ブレーキブースター１３は、ここに列挙したものに限定されない。また、本発明では、電気機械式ブレーキブースター１３が必須なのではなく、電子制御装置１６で制御可能な別のブレーキブースターでもよい。
【００２０】
ブレーキブースター１３を含めた車両用ブレーキ装置１を制御するために、上述の電子制御装置１６が設けられている。力覚センサ１７によって、ブレーキペダル１５を制御する筋力ないしはペダル力が測定可能であり、ストロークセンサ１８によって、ブレーキペダル１５の位置と、更には速度又は加速度も測定可能である。アクセルペダルセンサ１９によって、アクセルペダルの位置ないしはその操作速度、例えば放す速さが測定可能である。さらにフットセンサ２０が設けられており、このフットセンサによって、運転者の足２１、ないしはブレーキペダル１５の方向における運転者の足２１の運動が測定可能である。足２１は靴のマークで表した。フットセンサ２０は、例えば光学センサ若しくはライトバリアか、超音波センサか、又は容量センサである。ここに列挙したものには限定されず、対象物この場合には運転者の足２１がブレーキペダル１５に接近していることを検出することができるセンサないしはセンサ系のどれでもよい。さらに距離センサ２２が設けられており、この距離センサ２２によって、車両用ブレーキ装置１を装備している車両と先行車両若しくは障害物との間隔が測定可能である。このような距離センサ２２は速度に依存する間隔を調整するために使用される。フットセンサ２０及び距離センサ２２は、本発明による方法の特定の実施形態ないしは発展形態のために設けられている。
【００２１】
本発明による方法では、車両用ブレーキ装置１が（まだ）操作されていない場合に、ブレーキブースター１３が運転者の起こり得るブレーキ要求に従い駆動制御される。すなわち、ブレーキブースター１３は、ブレーキ操なしに、これから起こるブレーキ操作の予期されるときに機能し、マスターブレーキシリンダ３を操作するのである。このマスターブレーキシリンダ３は、ホイールブレーキ５のクリアランスを小さくする、有利にはこのクリアランスをなくすように、すなわち、ホイールブレーキ５の摩擦ブレーキパッドがブレーキディスクか、ブレーキドラムか、又はホイールブレーキ５の別のブレーキ体に当たるように操作される。摩擦ブレーキパッドは、ほとんど力を掛けずに又は小さな張力によってブレーキ体に押し付けられる。ここで、小さな張力は楽なブレーキ操作を意味している。例えばアクセルペダルがアイドル位置に復帰することが、起こり得るブレーキ要求とみなされる。この復帰はアクセルペダルセンサ１９によって測定される。この起こり得るブレーキ要求の基準は、アクセルペダルの復帰する速さ、特にアクセルペダルがかなりの速さで復帰することとしてもよい。同様に、フットセンサ２０によって検出可能な、ブレーキペダル１５への運転者の足２１の接近も、又は、距離センサ２２によって測定される、先行車両若しくは障害物への車両の接近も起こり得るブレーキ要求とみなしてもよい。起こり得るブレーキ要求とみなせる状況は、ここに列挙したものに限定されない。起こり得るブレーキ要求に従い既にホイールブレーキ５のクリアランスを小さくしておく、又は、有利にはなくしておくことによって、後続の実際のブレーキ操作が迅速に行われる。なぜならば、ホイールブレーキ５のクリアランスがなくなるまでのブレーキペダル１５の遊びが必ずしもあるわけではないためである。
【００２２】
本発明による方法の変更形態によれば、起こり得るブレーキ要求に従いブレーキブースター１３が機能するだけでなく、切り離しバルブ４若しくはブレーキ増圧用バルブ７が閉じられる。切り離しバルブ４と、この切り離しバルブ４に並列接続されたチェックバルブ６とは、ホイールブレーキ５の方向に通流可能なバイパスを備えているので、この切り離しバルブ４はブレーキブースター１３が機能する前か、機能した時か又は後に閉じることができる。ブレーキ増圧用バルブ７は、このブレーキ増圧用バルブ７に並列接続されたチェックバルブ８がホイールブレーキ５の方向には通流可能ではないので、ブレーキブースター１３が機能した後にはじめて、つまりホイールブレーキ５のクリアランスを小さくした後、又はなくした後に、閉じられる。切り離しバルブ４又はブレーキ増圧用バルブ７を閉じることによって、起こり得るブレーキ要求に従いブレーキブースター１３が機能したことによりマスターブレーキシリンダ３からホイールブレーキ５に圧送されたブレーキ液は、ホイールブレーキ５ないしは車両用ブレーキ装置１に閉じ込められる。このブレーキブースター１３は、初期位置に再びリセットされる。ホイールブレーキ５又は車両用ブレーキ装置１に閉じ込められたブレーキ液によって、ホイールブレーキ５のクリアランスは小さいままか、又はなくしたままとなる。起こり得るブレーキ要求に従いブレーキブースター１３が機能した後に、実際にブレーキペダル１５を操作してブレーキが行われると、切り離しバルブ４又はブレーキ増圧用バルブ７は再び開かれる。これらの切り離しバルブ４若しくはブレーキ増圧用バルブ７は、ブレーキペダル１５を操作すると同時に開いてもよいし、又は、マスターブレーキシリンダ３における圧力が車両用ブレーキ装置１若しくはホイールブレーキ５における圧力に近づいてはじめて開いてもよい。また、起こり得るブレーキ要求がもはや存在しないとき、すなわち、例えば、アクセルペダルを放した後所定の時間が経過するか、アクセルペダルが再び操作されるか、又は運転者の足２１がブレーキペダル１５から離れたときにも、切り離しバルブ４又はブレーキ増圧用バルブ７が開かれる。
【００２３】
本発明による方法は、起こり得るブレーキ要求とは無関係に、クリアランス調整又はブレーキペダルストローク調整のために用いてもよい。これによって、例えば構造上生じてしまうホイールブレーキ５のクリアランスはブレーキブースター１３を機能させることにより小さくすることができる。この目的のために、例えば、車両用ブレーキ装置１において、ブレーキ操作の際にブレーキペダル１５の初期位置から液圧の測定可能な圧力が上昇するまでのブレーキペダル１５の運動を、ストロークセンサ１８によって測定してもよい。この圧力上昇は、ホイールブレーキ５の摩擦ブレーキパッドがそのブレーキ体に当たっていることを示している。ブレーキブースター１３が機能すること、すなわち初期位置から変わることによって、ブレーキストロークを短く、ひいてはホイールブレーキ５のクリアランスを小さくすることができる。有利には、車両停止状態において、ホイールブレーキ５の摩擦ブレーキパッドがそのブレーキ体に当たるまでの遊びをホイール個々に測定してもよい。この場合も、ホイール個々のクリアランス調整は、ブレーキブースター１３が機能することによって、１つを除いた全てのブレーキ増圧用バルブ７が閉じられ、この残り１つの開かれたままのブレーキ増圧用バルブ７も同様にクリアランス調整後に閉じられることによって、ホイール個々に行うことができる。この方法は、ホイールブレーキ５毎に続けて行うことができる。
【００２４】
この出願の親出願（特願２０１１−５４１３３０）の出願当初請求項は以下のとおりである。
【００２５】
（１）ブレーキブースター（３）を備えた車両用液圧ブレーキ装置（１）の制御方法において、
前記ブレーキブースター（３）は制御可能であり、起こり得るブレーキ要求に従い前記ブレーキブースター（３）を機能させることによって、ホイールブレーキ（５）のクリアランスを少なくとも小さくする、
ことを特徴とする制御方法。
【００２６】
（２）アクセルペダル又はアクセルレバーを放す、及び／又は迅速に放すことを前記起こり得るブレーキ要求とみなす、上記（１）記載の方法。
【００２７】
（３）センサ（２０）によって、運転者の足（２１）がブレーキペダル（１５）に接近していることが検出され、前記接近を前記起こり得るブレーキ要求とみなす、上記（１）記載の方法。
【００２８】
（４）前記車両用ブレーキ装置（１）は、該車両用ブレーキ装置（１）のマスターブレーキシリンダ（３）からホイールブレーキ（５）を液圧的に切り離すことができるバルブ（４；７）を備えており、
前記起こり得るブレーキ要求に従い前記バルブ（４；７）を閉じ、前記ブレーキブースター（３）を機能させることによって、前記ホイールブレーキ（５）のクリアランスを少なくとも小さくし、
前記ホイールブレーキ（５）のクリアランスを少なくとも小さくした後で、前記ブレーキブースター（３）をリセットする、上記（１）記載の方法。
【００２９】
（５）ブレーキ操作の際に、前記バルブ（４；７）を開く、上記（４）記載の方法。
【００３０】
（６）クリアランス調整及び／又はブレーキペダルストローク調整のために用いられる、上記（１）記載の方法。
【００３１】
（７）前記車両用ブレーキ装置（１）は、電気機械式ブレーキブースター（１３）を備えている、上記（１）記載の方法。
【図１】
2013173538.tif 000003